(57)【要約】      （修正有）【課題】車両におけるサンバイザーをサイドウインドウ側で使用する時、外光を適正に遮光することができ、使い勝手を著しく向上させることのできるサンバイザーカバーを提供する。【解決手段】車両に付いているサンバイザー２に取り付ける車両サンバイザーカバー１であって、折り曲げ自在の材質で構成され、さらに、上下両サイドに芯部と面ファスナー５を有し、上下の面ファスナーを合わせる事により、サンバイザーを覆い、固定されることを特徴とする。【選択図】図１
0003197450.tif 000002
【実用新案登録請求の範囲】
【請求項１】
車両に付いているサンバイザーに取り付ける車両サンバイザーカバーであって、折り曲げ自在の材質で構成され、さらに、上下両サイドに芯部とマジックテープ（登録商標）を有し、上下のマジックテープ（登録商標）を合わせる事により、前記サンバイザーを覆い、固定されることを特徴とする車両サンバイザーカバー。
【請求項２】
表面にポリエステル布を、裏面にキルティング布を使用することを特徴とする、請求項１に記載の車両サンバイザーカバー。
【請求項３】
左右両サイドが開放され、前記サンバイザーを覆い固定された状態において、前記左右両サイドの一方側にスライド可能である事を特徴とする、請求項１または２に記載の車両サンバイザーカバー。
【考案の詳細な説明】
【技術分野】
【０００１】
本考案は、車両に付いているサンバイザーに取り付ける車両サンバイザーカバーに関する。
【背景技術】
【０００２】
従来、車両に付いているサンバイザーは、車両前面上方と車両サイドウインドウ側上方で太陽光を遮光出来るようになっている。
【考案の概要】
【考案が解決しようとする課題】
【０００３】
このような従来の車両に付いているサンバイザーをサイドウインドウ側で使用する時、車両に付いているサンバイザーだけでは短すぎる為、太陽光の遮光を満足にカバーできない。カバー出来ない箇所より太陽光が入射してしまうという不都合があった。
本考案は上記した点に鑑みてなされたもので、サンバイザーをサイドウインドウ側で使用する時、外光を適正に遮光することができ、使い勝手を著しく向上させることのできる車両サンバイザーカバーを提供することを目的とするものである。
【課題を解決するための手段】
【０００４】
上記目的を達成するため、本考案に係る車両サンバイザーカバーは、サンバイザーを覆い、横にスライドさせ太陽光を遮断することを特徴とする。
【考案の効果】
【０００５】
サンバイザーをサイドウインドウ側で使用する時、外光を適正に遮光することができ、使い勝手を著しく向上させることができる。
【図面の簡単な説明】
【０００６】
【図１】本考案に係る車両サンバイザーカバーを車両のサンバイザーに用いた状態を示す図である。
【図２】本考案に係る車両サンバイザーカバーの平面図である。
【図３】本考案に係る車両サンバイザーカバーの外側の展開図である。
【考案を実施するための形態】
【０００７】
以下、本考案の実施形態を説明する。
図２、図3、で示すように、本サンバイザーカバー（１）は、折り曲げ自在の材質、本実施形態では四角形の布の両サイドにマジックテープ（登録商標）（５）を取り付けたもので構成される。前記四角形の布は、ポリエステルの布（４）を表側に使用し、サンバイザーに接触する裏側にはキルティング布（６）を付け、２枚合わせにする事により、サンバイザーを傷つける事が無く、軽く、車の振動によるズレを無くした。また、カバーの折れを生じないように、マジックテープ（５）を付けた四角形の布の両サイドに芯部（７）を入れる事により、サンバイザー本体（２）に取り付けた後、サンバイザー本体（２）から前記サンバイザーカバー（１）を、横に引き出して使用する際に折れが生じないようになる。
マジックテープ（５）を、間隔置いて縫い付けたのは、これにより前記サンバイザーカバー（１）を、サンバイザー本体（２）に対し楽に動かす事ができ、本体を傷つけずにスライドできる。
【０００８】
前記サンバイザーカバー（１）の前記サンバイザー本体（２）側に接する裏面に前記キルティング布（６）を使用したことにより、サンバイザー本体（２）に傷が付く事を防止する。また、表面に前記ポリエステルの布（４）を使用することにより、汚れが付着することを防止する。
【０００９】
次に、図1を用いて、前記サンバイザーカバー（１）のサンバイザーへの取り付け方法、使用方法について説明する。
サンバイザー本体（２）を挟んで前記四角形の布を折り曲げ、サンバイザー本体（２）を挟んで前記四角形の布で覆い、両サイドのマジックテープ（５）を合わせることにより固定して取り付ける。マジックテープ（５）により取り付ける事により、よりしっかりと止める事ができる。使用するにあたり、複雑でなく、手軽に使用できて、取り外しが簡単である。
前記サンバイザーカバー（１）を使用する際は、サンバイザー本体（２）から前記サンバイザーカバー（１）をサンバイザー本体（２）よりスライドして使用する。スライドする長さは、使用状況によって可変できる。また使用しないときは、サンバイザー本体（２）側にスライドする事によりサンバイザー本体に収納出来る。
【００１０】
このように、前記サンバイザー本体（２）をサイドウインドウ（３）側にした時、車両に付いている前記サンバイザー本体（２）を傷つける事無く、簡単に前記サンバイザーカバー（１）を横方向にスライドすることができる。これにより、前記サンバイザー本体（２）使用する際に、前記サンバイザーカバー（１）を横方向にスライドすることで遮光範囲を広げることができ、使い勝手を著しく向上させることができる。また、前記前記サンバイザーカバー（１）は、運転席側と助手席側の前記サンバイザー本体（２）に使用できる。
【００１１】
また、サンバイザー本体（２）をサイドウインドー（３）側にしてサンバイザーカバー（１）を使用する時、太陽光をカバーできない部分の不都合を解決する為に、前記サンバイザーカバー（１）をサンバイザー本体（２）からずり落ちないようにマジックテープ（５）で固定することができる。
本実施形態では、前記サンバイザーカバー（１）を四角形の布で説明したが、形状および材質は本実施形態に限られない。本考案を実施できる範囲で他の形状、材質も使用できる。
【符号の説明】
【００１２】
（１）サンバイザーカバー
（２）サンバイザー
（３）サイドウインドー
（４）ポリエステル生地
（５）マジックテープ
（６）キルティング生地
（７）芯部
【図２】
0003197450.tif 000003
【図３】
0003197450.tif 000004
【図１】
0003197450.tif 000005
【手続補正書】
【提出日】平成27年3月13日(2015.3.13)
【手続補正１】
【補正対象書類名】実用新案登録請求の範囲
【補正対象項目名】請求項１
【補正方法】変更
【補正の内容】
【請求項１】
車両に付いているサンバイザーに取り付ける車両サンバイザーカバーであって、折り曲げ自在の材質で構成され、さらに、上下両サイドに芯部と面ファスナーを有し、上下の面ファスナーを合わせる事により、前記サンバイザーを覆い、固定されることを特徴とする車両サンバイザーカバー。
【手続補正２】
【補正対象書類名】明細書
【補正対象項目名】全文
【補正方法】変更
【補正の内容】
【考案の詳細な説明】
【技術分野】
【０００１】
本考案は、車両についているサンバイザーに取り付けるサンバイザーカバーに関する。
【背景技術】
【０００２】
従来、車両に付いているサンバイザーは、車両前面上方と車両サイドウインドウ側上方で太陽光を遮光出来るようになっている。
【考案の概要】
【考案が解決しようとする課題】
【０００３】
このような従来の車両に付いているサンバイザーをサイドウインドウ側で使用する時、車両に付いているサンバイザーだけでは短すぎる為、太陽光の遮光を満足にカバーできない。カバー出来ない箇所より太陽光が入射してしまうという不都合があった。
本考案は上記した点に鑑みてなされたもので、サンバイザーをサイドウインドウ側で使用する時、外光を適正に遮光することができ、使い勝手を著しく向上させることのできる車両サンバイザーカバーを提供することを目的とするものである。
【課題を解決するための手段】
【０００４】
上記目的を達成するため、本考案に係る車両サンバイザーカバーは、サンバイザーを覆い、横にスライドさせ太陽光を遮断することを特徴とする。
【考案の効果】
【０００５】
サンバイザーをサイドウインドウ側で使用する時、外光を適正に遮光することができ、使い勝手を著しく向上させることができる。
【図面の簡単な説明】
【０００６】
【図１】本考案に関わる車両サンバイザーカバーを車両のサンバイザー用いた状態を示す図である。
【図２】本考案に関わる車両サンバイザーカバーの平面図である。
【図３】本考案に関わる車両サンバイザーカバーの外側の展開図である。
【考案を実施するための形態】
【０００７】
以下、本考案の実施形態を説明する。
図２、図３、で示すように、本サンバイザーカバー（１）は、折り曲げ自在の材質、本実施形態では四角形の布の両サイドに面ファスナー（５）を取り付けたもので構成される。前記四角形の布は、ポリエステルの布（４）を表側に使用し、サンバイザーに接触する裏側にはキルティング布（６）を付け、２枚合わせにする事により、サンバイザーを傷つける事が無く、軽く、車の振動によるズレを無くした。また、カバーの折れを生じないように、面ファスナー（５）を付けた四角形の布の両サイドに芯部（７）を入れる事により、サンバイザー本体（２）に取り付けた後、サンバイザー本体（２）から前記サンバイザーカバー（１）を、横に引き出して使用する際に折れが生じないようになる。
面ファスナー（５）を、間隔置いて縫い付けたのは、これにより前記サンバイザーカバー（１）を、サンバイザー本体（２）に対し楽に動かす事ができ、本体を傷つけずにスライドできる。
【０００８】
前記サンバイザーカバー（１）の前記サンバイザー本体（２）側に接する裏面に前記キルティング布（６）を使用したことにより、サンバイザー本体（２）に傷が付く事を防止する。また、表面に前記ポリエステルの布（４）を使用することにより、汚れが付着することを防止する。
【０００９】
次に、図1を用いて、前記サンバイザーカバー（１）のサンバイザーへの取り付け方法、使用方法について説明する。
サンバイザー本体（２）を挟んで前記四角形の布を折り曲げ、サンバイザー本体（２）を挟んで前記四角形の布で覆い、両サイドの面ファスナー（５）を合わせることにより固定して取り付ける。面ファスナー（５）により取り付ける事により、よりしっかりと止める事ができる。使用するにあたり、複雑でなく、手軽に使用できて、取り外しが簡単である。
前記サンバイザーカバー（１）を使用する際は、サンバイザー本体（２）から前記サンバイザーカバー（１）をサンバイザー本体（２）よりスライドして使用する。スライドする長さは、使用状況によって可変できる。また使用しないときは、サンバイザー本体（２）側にスライドする事によりサンバイザー本体に収納出来る。
【００１０】
このように、前記サンバイザー本体（２）をサイドウインドウ（３）側にした時、車両に付いている前記サンバイザー本体（２）を傷つける事無く、簡単に前記サンバイザーカバー（１）を横方向にスライドすることができる。これにより、前記サンバイザー本体（２）使用する際に、前記サンバイザーカバー（１）を横方向にスライドすることで遮光範囲を広げることができ、使い勝手を著しく向上させることができる。また、前記サンバイザーカバー（１）は、運転席側と助手席側の前記サンバイザー本体（２）に使用できる。
【００１１】
また、サンバイザー本体（２）をサイドウインドー（３）側にしてサンバイザーカバー（１）を使用する時、太陽光をカバーできない部分の不都合を解決する為に、前記サンバイザーカバー（１）をサンバイザー本体（２）からずり落ちないように面ファスナー（５）で固定することができる。
本実施形態では、前記サンバイザーカバー（１）を四角形の布で説明したが、形状および材質は本実施形態に限られない。本考案を実施できる範囲で他の形状、材質も使用できる。
【符号の説明】
【００１２】
（１）サンバイザーカバー
（２）サンバイザー
（３）サイドウインドウ
（４）ポリエステル生地
（５）面ファスナー
（６）キルティング生地
（７）芯部
【手続補正３】
【補正対象書類名】図面
【補正対象項目名】全図
【補正方法】変更
【補正の内容】
【図１】
0003197450.tif 000006
【図２】
0003197450.tif 000007
【図３】
0003197450.tif 000008